(57)【要約】【課題】底面角部の機械的強度及び剛性が向上された釣用バッグ（樹脂製容器）て提供。【解決手段】この釣用バッグ１０は、収容室３７を備えたバッグ本体１１を有する。バッグ本体１１は、底板シート６１、側壁シート６２及び補強シート６３を有する。これらは熱可塑性樹脂からなり、互いに溶着されている。底板シート６１は側壁シート６２と固着されており、底板シート６１の周縁部６６は、溶融して側壁シート６２の下端部６４に埋設されている。補強シート６３は、底板シート６１及び側壁シート６２を囲繞している。側壁シート６２に爪部７０が突設されており、当該爪部７０が補強シート６３と溶着されている。【選択図】図４
2014156107.tif 000002
【特許請求の範囲】
【請求項１】
熱可塑性樹脂からなる第１、第２及び第３シートを有し、各シートが溶着されることにより形成された樹脂シート溶着構造であって、
上記第１シートの端部が上記第２シートの端部に突き合わされた状態で交差し、且つ当該第１シートの端部が上記第２シートの端部内に融合埋設されており、
上記第３シートが上記第１シート及び上記第２シートの端部を囲繞して当該第１シート及び第２シートに固着されている樹脂シート溶着構造。
【請求項２】
上記第２シートの端部に上記第３シート側へ突出する爪部が形成されており、
上記第３シートは、上記爪部を覆った状態で上記第２シートに固着されている請求項１に記載の樹脂シート溶着構造。
【請求項３】
底板シートと、
当該底板シートの周縁部を囲繞するように当該底板シートに立設された側壁シートと、
上記底板シートを覆い且つ上記側壁シートの端部に回り込むように配置された補強シートとを有し、
上記底板シート、側壁シート及び補強シートは熱可塑性樹脂からなり、
上記底板シートの周縁部が上記側壁シートの端部内に融合埋設されており、
上記補強シートが上記底板シート及び上記側壁シートの端部を囲繞して当該底板シート及び側壁シートに固着されている樹脂製容器。
【請求項４】
上記側壁シートの端部に上記補強シート側へ突出する爪部が形成されており、
上記保養シートは、上記爪部を覆った状態で上記側壁シートに固着されている請求項３に記載の樹脂製容器。
【請求項５】
上記補強シート及び底板シートは、当該底板シートの周縁部でのみ溶着されている請求項３又は４に記載の樹脂製容器。
【発明の詳細な説明】
【技術分野】
【０００１】
この発明は、魚釣りその他のレジャーの用に供される樹脂シートからなる容器に関し、特に樹脂シートの溶着構造に関するものである。
【背景技術】
【０００２】
たとえば魚釣りの際には、釣人は釣場に道具や飲み物等を持ち込む。道具等を持ち運ぶために、一般に樹脂製容器が広く使用されている（たとえば特許文献１及び特許文献２参照）。樹脂製の容器は軽量でありながら耐候性に優れ、しかも機械的強度も十分だからである。一般に樹脂製容器は、樹脂シートが溶着されることにより構成される。
【０００３】
図１３は、従来の樹脂シート溶着構造を模式的に示している。
【０００４】
一般に樹脂製容器は、底部を構成する底部シートと、この底部シートの周縁に直立するように溶着された側壁シートとを有する。同図（ａ）は、底部シート１の上面に側壁シート２の下端部３が溶着された構造を示している。この場合、側壁シート２は筒状に形成されており、下端部３が外方に延設されてフランジを構成している。この下端部３が底部シート１と溶着されている。また、同図（ｂ）（ｃ）は、筒状に形成された側壁シート２の下端部４に底部シート１の周縁部５が溶着された構造を示している。同図（ｂ）の場合、底部シート１はトレイ状に形成され、周縁部５が側壁シート２の下端部４の外側を囲繞している。そして、上記周縁部５及び下端部４が溶着されている。他方、同図（ｃ）の場合、トレイ状に形成された底部シート１の周縁部６が、側壁シート２の下端部７の内側に配置される。そして、上記周縁部６及び下端部７が溶着されている。
【先行技術文献】
【特許文献】
【０００５】
【特許文献１】特開２００９−１８８４５号公報
【特許文献２】特開２０１０−７５２１０号公報
【発明の概要】
【発明が解決しようとする課題】
【０００６】
ところで、魚釣り等に樹脂製容器が持ち込まれる場合、当該樹脂製容器は、たとえば磯などの硬くて鋭利な部位に載置されることがある。その場合、特に樹脂製容器の角部、すなわち図１３（ａ）において底部シート１と側壁シート２とが溶着された部分が磯に衝突し、損傷を受けやすいという問題がある。この問題を解決するために同図（ｂ）（ｃ）の溶着構造が提案されているのであるが、いずれの溶着構造にしても底部シート１と側壁シート２との境界部分の結合強度ないし溶着強度が十分ではなかった。
【０００７】
本発明はかかる背景のもとになされたものであって、溶着された樹脂シート同士の結合強度ないし溶着強度が十分に高い樹脂シート溶着構造を提供することであり、また、かかる樹脂シート溶着構造を備えた樹脂製容器を提供することである。
【課題を解決するための手段】
【０００８】
(1) 本発明に係る樹脂シート溶着構造は、熱可塑性樹脂からなる第１、第２及び第３シートを有し、各シートが溶着されることにより形成される。この溶着構造では、上記第１シートの端部が上記第２シートの端部に突き合わされた状態で交差し、且つ当該第１シートの端部が上記第２シートの端部内に融合埋設されている。上記第３シートが上記第１シート及び上記第２シートの端部を囲繞して当該第１シート及び第２シートに固着されている。
【０００９】
この溶着構造では、第１シートと第２シートとの境界部分は、第１シートが第２シートに対して融合し埋設されている。したがって、第１シートと第２シートとの境界部分の機械的強度が高く維持され、たとえ両シートが交差していても上記境界部分は十分な剛性が確保される。しかも、第３シートが上記境界部分を覆うから、当該境界部分の機械的強度及び剛性は確実に維持される。
【００１０】
(2) 上記第２シートの端部に上記第３シート側へ突出する爪部が形成されており、上記第３シートは、上記爪部を覆った状態で上記第２シートに固着されているのが好ましい。
【００１１】
この構成では、第２シートと第３シートとが確実に係合し、溶着面積も増大する。したがって、第１シートと第２シートとの境界部分の機械的強度及び剛性はなお一層向上する。
【００１２】
(3) また、本発明に係る樹脂製容器は、底板シートと、当該底板シートの周縁部を囲繞するように当該底板シートに立設された側壁シートと、上記底板シートを覆い且つ上記側壁シートの端部に回り込むように配置された補強シートとを有する。そして、上記底板シート、側壁シート及び補強シートは熱可塑性樹脂からなり、上記底板シートの周縁部が上記側壁シートの端部内に融合埋設されており、上記補強シートが上記底板シート及び上記側壁シートの端部を囲繞して当該底板シート及び側壁シートに固着されている。
【００１３】
この構成によれば、底板シートに側壁シートが溶着されることにより樹脂製容器が形成され、両シートによって区画される空間に収容室が形成される。この樹脂製容器が物を収容する容器として使用される場合、当該樹脂製容器の角部すなわち底板シートと側壁シートとの境界部分がもっとも損傷を受けやすい。本発明では、底板シートと側壁シートとの境界部分は、底板シートが側壁シートに対して融合し埋設されている。したがって、当該境界部分の機械的強度が高く維持され、十分な剛性が確保される。しかも、補強シートが上記境界部分を覆うから、当該境界部分の機械的強度及び剛性は確実に維持される。
【００１４】
(4) 上記側壁シートの端部に上記補強シート側へ突出する爪部が形成されており、上記保養シートは、上記爪部を覆った状態で上記側壁シートに固着されているのが好ましい。
【００１５】
この構成では、側壁シートと補強シートとが確実に係合し、溶着面積も増大する。したがって、底板シートと側壁シートとの境界部分の機械的強度及び剛性はなお一層向上する。
【００１６】
(5) 上記補強シート及び底板シートは、当該底板シートの周縁部でのみ溶着されているのが好ましい。
【００１７】
この構成では、樹脂製容器はいわゆる二重底構造を有することになり、底板シートと補強シートとの間に空気層が形成される。これにより、底の機械的強度が向上すると共に収容物に対して緩衝作用が発揮される。
【発明の効果】
【００１８】
この発明によれば、互いに交差する樹脂シート同士が十分な機械的強度及び剛性を確保して溶着される。したがって、かかる溶着構造を備えた樹脂製容器は、容器として使用される場合に損傷を受けやすい部分、すなわち底板部分と側壁部分との境界部分の機械的強度及び剛性が十分に確保されるので、耐久性に優れた樹脂製容器が提供される。
【図面の簡単な説明】
【００１９】
【図１】図１は、本発明の一実施形態に係る釣用バッグ１０の斜視図である。
【図２】図２は、釣用バッグ１０の斜視図である。
【図３】図３は、釣用バッグ１０の斜視図である。
【図４】図４は、図１におけるIV−IV断面図である。
【図５】図５は、図１におけるIV−IV断面図である。
【図６】図６は、釣用バッグ１０の把手２２の斜視図である。
【図７】図７は、釣用バッグ１０の拡大平面図である。
【図８】図８は、図６におけるVIII−VIII断面図である。
【図９】図９は、釣用バッグ１０の外蓋１４の要部拡大斜視図である。
【図１０】図１０は、図２の要部拡大斜視図である。
【図１１】図１１は、図１０におけるXI−矢視図である。
【図１２】図１２は、従来の樹脂製容器の底面角部の構造を模式的に示す図である。
【図１３】図１３は、従来の樹脂シート溶着構造を模式的に示す図である。
【発明を実施するための形態】
【００２０】
以下、本発明の好ましい実施形態が、適宜図面が参照されながら説明される。
【００２１】
図１は、本発明の一実施形態に係る釣用バッグ１０の斜視図である。図２は、釣用バッグ１０の外蓋１４が開放された状態における当該釣用バッグ１０の斜視図である。図３は、釣用バッグ１０の内蓋１５が開放された状態における当該釣用バッグ１０の斜視図である。
【００２２】
釣用バッグ１０（特許請求の範囲に記載された「樹脂製容器」に相当）は、バッグ本体１１を備えている。このバッグ本体１１は、直方体容器状に形成されている。バッグ本体１１の上面１２は開放されており、当該上面１２に開口１３が形成されている。図２が示すようにバッグ本体１１に後に詳述される外蓋１４が設けられており、図３が示すようにバッグ本体１１に内蓋１５が設けられている。
【００２３】
釣用バッグ１０は、例えば競技磯釣りの際に使用され、釣れた魚を生かしておくための生け簀として機能する。もっとも、釣用リール、浮子、錘その他の釣道具のほか釣餌等も収容される。本実施形態に係る釣用バッグ１０の特徴とするところは、バッグ本体１１が複数の熱可塑性の樹脂シート（後述の底板シート６１、側壁シート６２及び補強シート６３）からなり、これらが後述する溶着構造にて溶着されている点である。これにより、バッグ本体１１の特に底面角部の機械的強度及び剛性が向上し、耐久性に優れた釣用バッグ１０が提供される。以下、釣用バッグ１０の構造について詳述される。
【００２４】
バッグ本体１１は、矩形の底面部１７と、この底面部１７の周縁に立設された側壁部１８とを備えており、上面１２に矩形の開口１３が形成されている。この開口１３に連続してバッグ本体１１の内部に収容室３７（図３参照）が区画されている。実釣において釣れた魚は、この収容室３７に収容される。この開口１３が矩形に形成されることにより、バッグ本体１１の剛性が向上し、釣用バッグ１０の使い勝手が向上する。
【００２５】
これら底面部１７及び側壁部１８は、シート状の合成樹脂から構成されている。合成樹脂としては、例えば、エチレン酢酸ビニル共重合体（ＥＶＡ）が好適に採用される。側壁部１８は、シート状の合成樹脂が筒状に形成され、その下端部が上記底面部１７の周縁部に溶着されることによって形成されている。
【００２６】
図４は、図１におけるIV−IV断面図である。
【００２７】
バッグ本体１１の底面角部は、同図が示すような構造である。すなわち、底面部１７は、底板シート６１（特許請求の範囲に記載された「第１シート」に相当）及び補強シート６３（特許請求の範囲に記載された「第３シート」に相当）を有しており、側壁部１８は、側壁シート６２（特許請求の範囲に記載された「第２シート」に相当）及び上記補強シート６３を有する。つまり、本実施形態では、補強シート６３は、底板部１７の構成要素であり、且つ側壁部１８の構成要素でもある。
【００２８】
底板シート６１は、矩形状に裁断されており、バッグ本体１１の底面を形成する。底板シート６１の肉厚寸法は、０．５ｍｍ〜３．０ｍｍ程度に設定されている。側壁シート６２は、前述のように筒状に形成されており、側壁シート６２の下端部６４（特許請求の範囲に記載された「第２シートの端部」に相当）の外形形状は矩形である。側壁シート６２の肉厚寸法も、０．５ｍｍ〜３．０ｍｍ程度に設定されている。側壁シート６２の下端部６４は底板シート６１の上面６５に立設されており、側壁シート６２の下端部６４は底板シート６１の周縁部６６（特許請求の範囲に記載された「第１シートの端部」に相当）を囲繞している。そして、底板シート６１及び側壁シート６２は溶着されており、底板シート６１の周縁部６６は、側壁シート６２の下端部６４と融合している。具体的には同図が示すように、底板シート６１の周縁部６６の先端６７は、側壁シート６２の下端部６４内に溶け込んで進入し、埋設されている。
【００２９】
補強シート６３も矩形状に裁断されており、バッグ本体１１の底面を形成し、補強している。この補強シート６３はトレイ状をなし、底板シート６１を覆い且つ側壁シート６２の下端部６４に回り込んでいる。補強シート６３も底板シート６１及び側壁シート６２と溶着され固着されている。本実施形態では、補強シート６３は、底板シート６１の周縁部６と溶着され、且つ側壁シート６２の下端部６４と溶着されている。補強シート６３が底板シート６１と溶着されることにより、両者間に溶融した樹脂が流動する。これにより、両者が溶着された後に、樹脂溜まり６８が形成され、底板シート６１と補強シート６３との間に隙間６９が形成される。他方、補強シート６３が側壁シート６２の下端部６４と溶着されることにより、側壁シート６２が溶融して爪部７０が突設される。この爪部７０は補強シート６３側へ突出している。補強シート６３は側壁シート６２を覆い、両者は確実に係合し固着されている。
【００３０】
図１ないし図３が示すように、バッグ本体１１にエアポンプホルダー２６及びサブバッグ２７が設けられている。エアポンプホルダー２６は、図示されていないエアポンプを収容することができる。エアポンプホルダー２６は、スライドファスナー２８を介して開閉される。本実施形態では、２台のエアポンプがエアポンプホルダー２６に収容されるようになっている。エアポンプホルダー２６に貫通孔２９が設けられており、エアポンプに接続されたチューブが、貫通孔２９を通じて外部に導かれるようになっている。一方、バッグ本体１１にも貫通孔３３、３４が設けられている。上記チューブは、貫通孔３３、３４に挿通され、エアポンプから空気がバッグ本体１１の内部（収容室３７）に供給されるようになっている。これにより、この釣用バッグ１０は、釣れた魚を生かしておく生け簀として使用され得る。また、サブバッグ２７は筒状に形成されており、上面が開放されている。実釣において釣人は、このサブバッグ２７に釣竿、柄杓その他の道具を収納ないし係止することができる。なお、エアポンプホルダー２６及びサブバッグ２７は、シート状の合成樹脂から構成されている。合成樹脂としては、例えば、エチレン酢酸ビニル共重合体（ＥＶＡ）が好適に採用される。そして、これらは溶着等によりバッグ本体１１に固着されている。
【００３１】
図５は、図１におけるＶ−Ｖ断面図である。同図は、バッグ本体１１の上部の構造並びに外蓋１４及び内蓋１５の取付構造を示している。
【００３２】
同図が示すように、上記側壁部１８の上端部１９は、バッグ本体１１の外側に折り返されており、所定位置２０において当該側壁部１８に溶着されている。この上端部１９は、バッグ本体１１の周囲全体にわたって連続して溶着されていてもよいし、間欠的に溶着されていてもよい。また、本実施形態では、上記側壁部１８の上端部１９は、芯材２１に巻き掛けられている。この芯材２１は、環状に形成されており、上記開口１３の周縁部に沿って配置されている。すなわち、この芯材２１が上記開口１３を区画している。芯材２１は、例えばステンレススチールから構成され得る。この芯材２１が設けられることにより、バッグ本体１１の開口１３の周縁部の剛性が向上し、その結果、バッグ本体１１が生け簀として、また、釣道具の収容容器として一層使い易いものとなる。
【００３３】
図１が示すように、バッグ本体１１は把手２２、２３を備えている。この把手２２、２３は、バッグ本体１１の側壁部１８のうち対向する一対の側面２４に設けられている。把手２２は、取付ステー２５を介してバッグ本体１１の側面２４に取り付けられている。取付ステー２５は、バッグ本体１１の側面２４を補強する板状に形成されている。取付ステー２５は、バッグ本体１１と同様の合成樹脂から構成されている。取付ステー２５中央部にブリッジ部３１が形成されていると共に、両端部に一対の軸受部３２が設けられている。釣人は、このブリッジ部３１にタオルやコマセカッター等を引っ掛けることができる。また、軸受部３２は、リング状に形成されており、後述される把手２２の軸４１（図６参照）を回動自在に支持する。
【００３４】
図６は、上記把手２２の斜視図である。
【００３５】
同図が示すように、把手２２は全体として略Ｕ字状を呈している。この把手２２は、上記取付ステー２５と同様に合成樹脂からなり、例えば射出成形されることによって構成されている。この合成樹脂としては、例えば、ポリエチレン（ＰＰ）が好適に採用される。把手２２の両端部４０は平板状に形成されている。これら各端部４０の先端に、それぞれ、上記軸４１が形成されている。また、把手２２の中央部４３は長手方向に分割された筒状に形成されている。他方、把手２３も把手２２と同様の形状である。把手２３の両端部４０も平板状に形成されており、各端部４０の先端に上記軸４１が形成されている。把手２３の中央部４３は丸棒状に形成されている。釣人は、把手２２を把手２３の外側から被せるようにして各把手２２、２３を合体させることができる。各把手２２、２３が合体することにより、釣人は、容易に釣用バッグ１０を持ち運びすることができる。
【００３６】
図７は、釣用バッグ１０の拡大平面図である。
【００３７】
図１及び図７が示すように、外蓋１４は、バッグ本体１１の上端に開閉自在に取り付けられている。この外蓋１４は、上記バッグ本体１１と同様にシート状の合成樹脂から構成されており、可撓性を備えている。この合成樹脂としては、例えば、エチレン酢酸ビニル共重合体（ＥＶＡ）が好適に採用される。外蓋１４がＥＶＡからなるときは、外蓋１４の肉厚は、０．５ｍｍ〜３．０ｍｍに設定される。この外蓋１４が閉じられたときは、当該外蓋１４は、バッグ本体１１の上記開口１３を閉塞する。また、図２が示すように外蓋１４が開かれたときは、上記開口１３が開かれ、内蓋１３が露出する。
【００３８】
本実施形態では、この外蓋１４は、図７が示すように矩形の平板状に形成されている。外蓋１４の外形形状は、上記開口１３の周縁形状とほぼ同様である。外蓋１４は、スライドファスナー３０を介してバッグ本体１１に縫い付けられている。図５が示すように、このスライドファスナー３０は、バッグ本体１１の側壁部１８の上端部１９の最縁部２９と、外蓋１４の周縁部３５との間に架け渡すように縫い付けられている。そして、スライダー３６が操作されることによりスライドファスナー３０が開閉され、外蓋１４が開閉されるようになっている。スライドファスナー３０のうち把手２２が設けられている領域３９は、スライダー３６がスライドできない領域となっている。すなわち、本実施形態では、上記領域３９が外蓋１４とバッグ本体１１とを連結するヒンジとして機能する。換言すれば、このヒンジは、図２が示すように、バッグ本体１１の背面側に開口１３の長手方向３８に沿って配置されており、外蓋１４は、当該長手方向３８を回動中心として短手方向４２（図７参照）に開閉する。このように、長手方向３８を中心に外蓋１４が開閉するので、競技において外蓋１４の開閉が容易であるという利点がある。
【００３９】
図８は、図７におけるVIII−VIII断面図である。
【００４０】
図１及び図７が示すように、外蓋１４に２本の凹条４４、４５が形成されている。この凹条４４、４５は、外蓋１４にプレス加工が施されることにより形成される。凹条４４、４５は、短手方向４２に並設されており、且つ長手方向３８に沿って外蓋１４の一端部から他端部まで延びている。凹条４４は、外蓋１４の中央に長手方向３８に沿って配置され、凹条４５は、外蓋１４の先端５１と凹条４４との間の中央に長手方向３８に沿って配置されている。つまり、凹条４４によって外蓋１４は１／２だけ開けられ、凹条４５によって外蓋１４は１／４だけ開けられる。図８が示すように、凹条４４、４５は、内壁面形状が矩形の溝からなる。この凹条４４、４５が設けられることにより、外蓋１４は、凹条４４、４５において外側に簡単に折り曲げられる。なお、本実施形態では２本の凹条４４、４５が外蓋１４に設けれているが、凹条の数は特に限定されない。なお、上記凹条４４、４５がプレス加工により形成されるから、加工が簡単且つ安価である。
【００４１】
図９は、外蓋１４の要部拡大斜視図である。同図は、上記凹条４４の端部の形状を詳細に示している。
【００４２】
同図が示すように、外蓋１４の周縁部に湾曲部４６が形成されている。この湾曲部４６は、外蓋１４の周縁部で且つ上記凹条４４が交差する部位に形成されている。なお、同様に、外蓋１４の周縁部で且つ上記凹条４５が交差する部位にも湾曲部４６が形成されている。すなわち、外蓋１４の周縁部と凹条４４、４５が交わる部位が円弧状に切り欠かれている。この湾曲部４６が設けられることにより、上記凹条４４、４５も円弧状に切り欠かれており、これにより、凹条４４、４５の端部に発生する応力集中が緩和され、外蓋１４の耐久性が向上する。
【００４３】
図１及び図７が示すように、外蓋１４の上面にスナップ４７（特許請求の範囲に記載された「折曲保持部」に相当）が設けられている。このスナップ４７は、外蓋１４が上記凹条４４、４５にて折り曲げられたときに、当該折曲状態を維持する。
【００４４】
本実施形態では、スナップ４７は、一対のスタッド４８と二対のソケット４９、５０とを備えている。スタッド４８は、図７が示すように、外蓋１４の先端側の角部に配置されている。ソケット４９は、外蓋１４が凹条４５にて折り返された状態でスタッド４８が対向する位置に配置されている。外蓋１４が凹条４５にて折り返されると、スタッド４８がソケット４９と嵌合し、これにより、外蓋１４は１／４だけ折り返された状態で維持される。また、外蓋１４が凹条４４にて折り返されると、スタッド４８がソケット５０と嵌合し、これにより、外蓋１４は１／２だけ折り返された状態で維持される。
【００４５】
図１０は、図２の要部拡大斜視図であり、内蓋１５の取付構造を詳細に示している。また、図１１は、図１０におけるXI−矢視図であり、内蓋１５を詳細に示している。
【００４６】
これらの図が示すように、内蓋１５は、バッグ本体１１の開口１３の周縁部の内側に配置されており、バッグ本体１１に対して開閉自在に取り付けられている。この内蓋１５は、スライドファスナー５２を介してバッグ本体１１に縫い付けられている。内蓋１５は、合成樹脂からなるシート状に形成されており、可撓性を備えている。この合成樹脂としては、例えば、エチレン酢酸ビニル共重合体（ＥＶＡ）が好適に採用される。内蓋１５の肉厚は、０．５ｍｍ〜３．０ｍｍに設定される。
【００４７】
スライドファスナー５２は、内蓋１５の縁部５３と、バッグ本体１１の側壁部１８との間に架け渡すように縫い付けられている。すなわち、図５が示すように、スライドファスナー５２の一方側は、上記側壁部１８の溶着位置（上記所定位置２０）よりも上方に縫い付けられており、他方側が上記内蓋１５の縁部５３に縫い付けられている。そして、スライダー５４が操作されることによりスライドファスナー５２が開閉され、内蓋１５が開閉されるようになっている（図２及び図３参照）。なお、スライドファスナー５２の一方側が、上記側壁部１８の溶着位置（上記所定位置２０）よりも下方に縫い付けられる場合もある。
【００４８】
本実施形態では、図１０が示すように、内蓋１５がバッグ本体１１の開口１３を閉じた状態で、当該内蓋１５がバッグ本体１１の内部に落ち込んだ状態となる。すなわち、内蓋１５は、上記開口１３を閉塞した状態で、バッグ本体１１の上面１２から寸法Ｈだけ収容室３７（図３参照）の内奥部に入り込んだ位置に配置される。
【００４９】
図１１が示すように、内蓋１５に切欠部１６が形成されている。この切欠部１６は、内蓋１５が曲線状に切開されることにより構成されている。この切欠部１６にスライドファスナー５６が設けられており、スライドファスナー５６が操作されることにより切欠部１６が開閉される。本実施形態では、切欠部１６は円弧状に形成されており、同図が示すように、短手方向４２に湾曲しつつ長手方向３８の全域に延びている。そして、切欠部１６の両端部は、内蓋１５の両角部まで達している。このスライドファスナー５６は、２つのスライダー５７を備えている。もっとも、スライダー５７の数は特に限定されず、複数であればよい。複数のスライダー５７が設けられることにより、切欠部１６のうち釣人が所望する位置に所望する大きさの開口を形成することができる。
【００５０】
本実施形態では、内蓋１５の一部の領域がメッシュ構造となっている。この一部の領域とは、図１１が示すように、上記切欠部１６と内蓋１５の前縁５８とにより囲まれる領域である。この領域において内蓋１５は、格子状に編まれたコア部材（典型的には綿糸やナイロン糸）に、ポリ塩化ビニル（ＰＶＣ）等の樹脂やラバー等がコーティングされたものからなる。内蓋１５の当該領域は、通水性に優れ、きわめて可撓性に富む。
【００５１】
また、図１１が示すように、内蓋１５の上面にメジャー５９が表示されている。メジャー５９は、長手方向３８に沿って表示されている。釣人は、このメジャー５９を利用して、釣れた魚のサイズを直ちに計ることができる。
【００５２】
次に、本実施形態に係る釣用バッグ１０は、次のようにして使用される。
【００５３】
この釣用バッグ１０は、前述のように釣道具等の収納ケースとして使用されるほか、実釣において釣れた魚を生かしておく生け簀としても使用される。この釣用バッグ１０は、たとえば磯などに持ち込まれ、その底面角部が磯に激しく接触することも想定される。しかし、本実施形態に係る釣用バッグ１０では、図４が示すように、底板シート６１と側壁シート６２との境界部分において、底板シート６１が側壁シート６２に対して融合し埋設されている。したがって、当該境界部分（すなわち釣用バッグ１０の底面角部）の機械的強度が高く維持され、十分な剛性が確保される。しかも、補強シート６３が底板シート６１及び側壁シート６２を覆っているから、釣用バッグ１０の底面角部の機械的強度及び剛性は大幅に向上し、耐久性に優れた釣用バッグ１０が提供される。
【００５４】
また、側壁シート６２に上記爪部７０が形成されているから、側壁シート６２と補強シート６３とが確実に係合し、溶着面積も増大する。したがって、釣用バッグ１０の底面角部の機械的強度及び剛性はなお一層向上する。
【００５５】
図１２は、従来の樹脂製容器の底面角部の構造を模式的に示す図である。
【００５６】
従来の樹脂製容器の溶着構造では、溶着時に溶融した樹脂が流れて同図が示すように底面角部に突起７１が形成されてしまう。この突起７１は、実釣において常に磯等と接触し、損傷を受けやすかった。すなわち、この突起７１が損傷を受けることにより、たとえば水漏れ等が発生し、当該樹脂製容器の実用品としての耐久性に欠けるという問題があった。しかし、本実施形態に係る釣用バッグ１０では、上記爪部７０（図４参照）は、補強シート６３の端部が側壁シート６２と溶着されることにより形成されるが、この爪部７０が形成されるために、バグ本体１１の底面角部に突起が形成されない。つまり、磯等と接触して損傷を受けやすい部位が存在しないので、釣用バッグ１０の耐久性が大幅に向上するという利点がある。
【００５７】
さらに、補強シート６３及び底板シート６１は、底板シート６１の周縁部６６でのみ溶着されていることから、前述のように底板シート６１と補強シート６３との間に隙間６９が形成される。つまり、釣用バッグ１０はいわゆる二重底構造を有する。これにより、底板シート６１と補強シート６３との間に空気層が形成され、釣用バッグ１０の底の機械的強度が向上すると共に収容物に対して緩衝作用が発揮されるという利点がある。
【００５８】
さて、釣人は、バッグ本体１１内の収容室３７に予め海水を入れておくことができ、エアポンプを使用することにより常に収容室３７内の海水に空気を送ることができる。釣れた魚は、上記収容室３７に投入される。図２が示すように内蓋１３が閉じられると、バッグ本体１１の開口１３が閉塞されるので、釣れた魚はバッグ本体１１内で生かされる。釣人は、釣りが終了するまで適宜海水を入れ換えることにより魚を生かしておくことができる。このとき、内蓋１３はメッシュ生地からなるので、内蓋１３が閉じられた状態でも海水を注ぎ足すことができるし、内蓋１３がが閉じられた状態であっても、釣人は、外蓋１２を開けてバッグ本体１１を傾けることによって簡単に排水することができる。しかも、釣用バッグ１０は、前述のように合成樹脂のシートから構成されるので、非常に軽量であるという利点がある。
【００５９】
外蓋１４は、図２が示すように開閉される。すなわち、外蓋１４は、バッグ本体１１の長手方向３８を回動中心として俯仰する。したがって、釣人は、外蓋１４を回動させることにより、迅速にバッグ本体１１の開口１３を開閉することができる。外蓋１４は可撓性を備えているので、釣人は、外蓋１４をバッグ本体１４の上方に捲り上げるだけで簡単に上記開口１３を開放することもできる。本実施形態では、外蓋１４は凹条４４、４５にて折り曲げられ、しかも、スナップ４７によって当該折り曲げられた状態が維持される。特に、本実施形態では外蓋１４がスライドファスナー３０によって開閉されるから、外蓋１４が折り曲げられた状態でスライドファスナー３０が当該折曲部分まで閉じられると、より一層外蓋１４がバッグ本体１１上で安定する。つまり、外蓋１４はフラップ状に上記開口１３を全開あるいは全閉するのではなく、折り曲げられることにより、上記開口１３の１／２あるいは１／４のみを開放し且つ安定的にバッグ本体１１の上面１２に載置される。
【００６０】
魚が釣れた場合、釣人は、内蓋１５のスライドファスナー５６を操作することによって切欠部１６を開くことができる。切欠部１６が開かれることにより、内蓋１５に上記収容室３７に連通する連通口が形成される。釣れた魚は、切欠部１６を通じて上記収容室３７に入れられる。本実施形態では、切欠部１６が曲線状に形成されているから、当該切欠部１６が開かれると、当該切欠部１６を境界として内蓋１５の一部が上記収容室３７内へ垂れ下がる。したがって、釣れた魚が切欠部１６上に載置されるだけで、垂下した内蓋１５に案内されるようにして上記収容室３７へ落下する。
【００６１】
このように本実施形態に係る釣用バッグ１０では、外蓋１４が１／４乃至１／２だけ折り返された状態でバッグ本体１１の上面に安定的に載置され、たとえば実釣において強風が吹いた場合であっても風に煽られることがないので、釣人は、釣れた魚を内蓋１５の切欠部１６を通じて容易且つ迅速にバッグ本体１１内へ収容することができる。しかも、上記切欠部１６により内蓋１５の一部が魚の案内板として機能するから、釣人は、魚を片手で簡単にバッグ本体１１内に収容することができる。
【００６２】
本実施形態では、内蓋１５の切欠部１６は円弧状に湾曲しつつ長手方向３８の全域に延びており、しかも、スライドファスナー５６は複数のスライダー５７を備えている。したがって、スライドファスナー５６を全開にすれば、内蓋１５が大きく開いて下方へ垂下する一方で、釣人は、スライダー５７を操作することにより切欠部１６のうち意図する部位のみを開くこともできる。したがって、釣れた魚のサイズに合わせて切欠部１６の開放の程度が調整され、より一層簡単に魚をバッグ本体１１内へ入れることができる。
【００６３】
さらに、図１０が示すように、内蓋１５がバッグ本体１１の開口１３よりも高さＨだけ下がっているので、内蓋１５によって上記開口１３付近に段差部が形成される。釣人は釣れた魚をこの段差部に一旦載置し、メジャー５９を用いて魚のサイズを安定的に計測することができる。したがって、たとえば競技磯釣りにおいて、釣人は、釣れた魚が規定サイズであるかどうかの確認を容易に行うことができる。
【００６４】
加えて、本実施形態では、外蓋１４は前述の肉厚の樹脂シートから構成されているが、この外蓋１４の周縁部にパイピング加工が施されていてもよい。これにより、外蓋１４の周縁部の剛性が向上し、外蓋１４の取り扱いがし易くなるという利点がある。
【符号の説明】
【００６５】
１０・・・釣用バッグ
１１・・・バッグ本体
６１・・・底板シート
６２・・・側壁シート
６３・・・補強シート
６４・・・下端部
６５・・・上面
６６・・・周縁部
６７・・・先端
６８・・・樹脂溜まり
６９・・・隙間
７０・・・爪部
【図１】
2014156107.tif 000003
【図２】
2014156107.tif 000004
【図３】
2014156107.tif 000005
【図４】
2014156107.tif 000006
【図５】
2014156107.tif 000007
【図６】
2014156107.tif 000008
【図７】
2014156107.tif 000009
【図８】
2014156107.tif 000010
【図９】
2014156107.tif 000011
【図１０】
2014156107.tif 000012
【図１１】
2014156107.tif 000013
【図１２】
2014156107.tif 000014
【図１３】
2014156107.tif 000015